Podtech/llm-jp-corpus-v4-ja_patent huggingface dataset:
(57)【要約】【課題】急潮流区域であっても傾いたり水没したりすることがなく、航行船舶からの視認性が良好な浮標灯を提供すること。【解決手段】ブイ１に発光体３を取り付けた浮標灯１０において、ブイ１の底面側にキール４を設けた。また、キール４の先頭部分に、アンカーと接続するアンカーロープを接続するためのアンカーロープ接続孔６を上下方向に間隔を開けて複数設けた。【選択図】図１
0003135750.tif 000002
【実用新案登録請求の範囲】
【請求項１】
ブイに発光体を取り付けた浮標灯において、ブイの底面側にキールを設けたことを特徴とする浮標灯。
【請求項２】
キールの先頭部分に、アンカーと接続するアンカーロープを接続するためのアンカーロープ接続孔を設けた請求項１に記載の浮標灯。
【請求項３】
アンカーロープ接続孔を上下方向に間隔を開けて複数設けた請求項２に記載の浮標灯。
【考案の詳細な説明】
【技術分野】
【０００１】
本考案は、海洋における工事区域や危険区域などを表すために使用される浮標灯に関する。
【背景技術】
【０００２】
海洋における工事区域や危険区域などの周囲には、とくに夜間、航行船舶に立ち入りの禁止や危険を知らせるために浮標灯が設置される。この浮標灯は、浮体となるブイと、このブイに取り付けられる発光体を基本構成とするものである（例えば特許文献１）。
【０００３】
しかし、従来、とくに急潮流区域では、その潮流の影響で浮標灯が傾いたり水没したりして航行船舶からの視認性が悪くなり、浮標灯としての機能を果たすことができなくなることがあった。
【特許文献１】特開平９−３９８８０号公報
【考案の開示】
【考案が解決しようとする課題】
【０００４】
本考案が解決しようとする課題は、急潮流区域であっても傾いたり水没したりすることがなく、航行船舶からの視認性が良好な浮標灯を提供することにある。
【課題を解決するための手段】
【０００５】
本考案は、ブイに発光体を取り付けた浮標灯において、ブイの底面側にキールを設けたことを特徴とするものである。
【０００６】
このように、ブイの底面側にキールを設けることで、浮標灯（ブイ）の前後方向の向きが常に潮流に沿った方向に揃い、かつその姿勢も安定するので、急潮流区域であっても傾いたり水没したりすることがなく、航行船舶からの視認性が良好となる。
【０００７】
本考案の浮標灯においては、潮流の上流側に位置し潮流と対向することになるキールの先頭部分に、アンカーと接続するアンカーロープを接続するためのアンカーロープ接続孔を設けることが好ましい。これによって、浮標灯が海底のアンカーと安定的に接続される。
【０００８】
また、アンカーロープ接続孔は、キールの先頭部分において上下方向に間隔を開けて複数設けることが好ましい。すなわち、潮流の強さ（速さ）に合わせて、アンカーロープを接続するアンカーロープ接続孔を選択することで、浮標灯の前後方向の傾きを調整でき、浮標灯の前後方向の姿勢をほぼ水平にすることができる。具体的には、潮流が強い場合は上側のアンカーロープ接続孔を選択し、潮流が弱い場合は下側のアンカーロープ接続孔を選択する。
【考案の効果】
【０００９】
本考案の浮標灯は、ブイの底面側にキールを備えるので、急潮流区域であっても傾いたり水没したりすることがなく、航行船舶からの視認性が良好となる。
【考案を実施するための最良の形態】
【００１０】
以下、図面に示す実施例に基づき、本考案の実施の形態を説明する。
【００１１】
図１は、本考案の浮標灯を示す図で、（ａ）は正面図、（ｂ）は側面図である。
【００１２】
同図に示す浮標灯１０は、浮体となるブイ１と、ブイ１に支持体２を介して取り付けられた発光体３を備え、ブイ１の底面側にキール４が設けられている。
【００１３】
ブイ１は、ポリエチレン製の３個の俵ブイ１ａからなり、この３個の俵ブイ１ａを複数の結束バンド５によって一体化したものである。
【００１４】
支持体２は結束バンド５に固定されており、その先端に発光体３が取り付けられている。発光体３は、図示しない太陽電池を電源として発光する。
【００１５】
キール４は、結束バンド１に固定されており、ブイ１の底面側の先頭部分から後尾部分にかけて板状の縦通材として設けられている。そして、キール４の先頭部分には、上下方向に間隔を開けて複数のアンカーロープ接続孔６が設けられている。
【００１６】
以上の構成において、浮標灯１０を設置する現場の潮流強さに応じて、使用するアンカーロープ接続孔６を選択し、そのアンカーロープ接続孔６に海底に敷設するアンカーと接続するアンカーロープを接続する。すなわち、潮流が強い場合は、ブイ１の先頭部分が上に上がる傾向になるので、これを抑えるために上側のアンカーロープ接続孔６を選択し、逆に潮流が弱い場合は下側のアンカーロープ接続孔６を選択する。
【００１７】
このようにアンカーロープをアンカーロープ接続孔６した後に、浮標灯１０を海洋に投入すると、ブイ１には潮流による力が作用するが、ブイ１の底面側にキール４が設けられているので、アンカーロープを接続しているキール４の先頭部分が潮流とちょうど対向する姿勢となるようにブイ１が向きを変え、その後、ブイ１はその向きを維持したまま海洋上に位置する。すなわち、浮標灯１０は、その前後方向の向きが潮流に沿った方向に揃い、潮流に対して安定した姿勢を維持できる。また、潮流の向きが変わったとしても、浮標灯１０はそれに合わせて向きを変え、潮流に対して常に安定した姿勢を維持できる。したがって、急潮流区域であっても浮標灯１０は傾いたり水没したりすることがなく、航行船舶からの視認性が良好となる。
【００１８】
なお、図１に示す実施例では、ブイ１として３個の俵ブイ１ａを使用したが、ブイの形状及び構成はこれに限定されるものではない。
【図面の簡単な説明】
【００１９】
【図１】本考案の浮標灯を示す図で、（ａ）は正面図、（ｂ）は側面図である。
【符号の説明】
【００２０】
１０  浮標灯
１  ブイ
１ａ  俵ブイ
２  支持体
３  発光体
４  キール
５  結束バンド
６  アンカーロープ接続孔
【図１】
0003135750.tif 000003
(57)【要約】      （修正有）【解決手段】床ずれを防止するために、腰とおしり周りの湿気を除去する方法として、通気性を良くするための構造を、従来の紙オムツの形状を損なわず、実施できるものである。紙オムツの腰やおしりにあたる部分の湿気の要因となる綿パルプを、必要な範囲において、あらかじめくり抜いた構造の紙オムツである。【効果】これにより、湿気の要因となる綿パルプがなくなることで、水分を吸収した綿パルプも存在しないことにより、腰やおしりの周りの通気性をよくし、湿気を低減することができ、床ずれが出来にくくなる。【選択図】図１
0003135745.tif 000002
【実用新案登録請求の範囲】
【請求項１】
外装部６と綿パルプ２及び吸水紙５により３層構造からなる紙オムツにおいて、腰及びお尻の部分の綿パルプをあらかじめ縦６ｃｍ横８ｃｍ程度の長方形にくり抜いたことを特徴とする紙オムツ。
【考案の詳細な説明】
【技術分野】
【０００１】
本考案は通気性に優れた床ずれを軽減する紙オムツに関する
【背景技術】
【０００２】
従来の紙オムツは、人体に隙間なく履くことで、吸収する水分を外部に漏れないような構造をとっているため、その影響としてオムツ内の水分が密閉された空間の中に湿気として溜まることにより、長期間入院や介護等が必要となった場合、皮膚が湿気により軟弱化し、床ずれが起きやすい欠点がある。
【特許文献１】実開平５−２１９３４
【考案の開示】
【考案が解決しようとする課題】
【０００３】
現在商品化されている紙オムツは、吸収した水分が戻らないような特殊繊維を使用し、オムツ内の湿気を極力抑え、素材の改良により履き心地も優れた製品が多い。しかし、オムツの構造が水分を外部に漏れないようにするため、密閉構造にする必要性があり、オムツ内の湿気に関しては、吸収された水分と体内から発する汗により、湿気を除去することが困難な場合が多い。
【０００４】
特に床ずれに関しては、ベッドや敷きふとんと接する腰部とその周りが、水分を吸収した綿パルプの湿気により蒸れ、床ずれ発生の要因となっている。
【課題を解決するための手段】
【０００５】
本考案はこの床ずれを防止するために、腰とおしり周りの湿気を除去する方法として、通気性を良くするための紙オムツの構造を提供するもので、従来の紙オムツの形状を損なわず、実施できるものである。
【０００６】
外装部６と綿パルプ２及び給水紙５により３層構造からなる紙オムツにおいて、腰及びお尻の部分の綿パルプを、あらかじめある範囲についてくり抜いておき、通気性を良くした構造とする。
【考案の効果】
【０００７】
これにより、湿気の要因となる綿パルプがなくなることで、水分を吸収した綿パルプも存在しないことにより、腰やおしりの周りの通気性をよくし、湿気を低減することができ、床ずれが出来にくくなる。
【０００８】
試験的に試作品を用いて行ったモニターテストでは、１週間で床ずれの改善がみられ、２週間でほぼ完治できた。
【考案を実施するための最良の形態】
【０００９】
この紙オムツの構造について、図面を引用して説明する。
図１にあるように、外装部６と綿パルプ２及び給水紙５により３層構造からなる紙オムツにおいて、腰及びお尻の部分の綿パルプを、綿パルプをくり抜いた部分３の範囲において、あらかじめくり抜いた構造とする。
【００１０】
綿パルプをくり抜いた部分３の範囲は、大きすぎるとオムツとしての吸水量が減少し、小さ過ぎると通気性が悪くなる。範囲の目安としては、縦６ｃｍ横８ｃｍの長方形が適当であるが、この大きさに限定するものではなく、形も長方形に限定するものではなく、円形でもよい。
【産業上の利用可能性】
【００１１】
病院や介護施設、自宅において、寝たきりの患者や、入院により長期療養が必要な患者の床ずれ防止用具として、利用が可能である。
【図面の簡単な説明】
【００１２】
【図１】本考案の展開図
【図２】図１Ａ−Ａ'断面図
【符号の説明】
【００１３】
１  オムツ本体
２  綿パルプ
３  綿パルプをくり抜いた部分
４  オムツ固定ベルト部
５  給水紙
６  外装部
【図１】
0003135745.tif 000003
【図２】
0003135745.tif 000004
(57)【要約】      （修正有）【課題】効果的に殻体の気密性を向上させて、殻体内部の液体の揮発を防止する液体包装容器の提供。【解決手段】液体包装容器は、包装容器が殻体の開口周縁の環片で膜蓋を固設してなり、且つ、殻体が一層以上の結合成型であり、紫外線の照射により殻体内部の液体が変質するのを防止し、殻体内部の液体の有効期限を延長できる。【選択図】図３
0003135716.tif 000002
【実用新案登録請求の範囲】
【請求項１】
液体包装容器であって、主に、殻体、及び、膜蓋を組み合わせてなり、前記殻体はプラスチック材質で、開口を有する中空筒体状で、前記殻体の開口一側辺に外に突出した環片を有し、又、前記膜蓋はアルミ箔材質からなる薄膜体で、液体を前記殻体の中空箇所に充填した後、前記膜蓋で前記殻体の開口、及び、前記環片の上端面を遮蔽し、前記殻体内部が密封状態を形成するもので、その特徴は、前記殻体が一層以上の構造体であることを特徴とする液体包装容器。
【考案の詳細な説明】
【技術分野】
【０００１】
本考案は液体包装容器に関するものであって、特に、包装容器の殻体は一層以上の結合成型で、効果的に殻体の気密性を高め、殻体内部の液体の揮発を防止すると共に、紫外線の照射により殻体内部の液体が変質するのを防止し、殻体内部の液体の有効期限を延長できる包装容器に関するものである。
【背景技術】
【０００２】
経済成長が工業科学の発展を促進し、競争が熾烈な工業社会となっている。企業は永続的な経営を達するため、必然と人力と財力を投入して研究開発に取り組み、高機能の新製品を発売して消費者を引き付け、市場の占有率を向上させている。液体は以前、ガラスや金属材質の缶体により容置されていたが、プラスチックの普及に伴い、各種用途のプラスチック容器が開発され、それぞれ必要に応じて提供されている。人々の所得の増加により、健康への関心の高まりから、各種栄養補助食品が不断に開発されている。市販の栄養補助食品は一般に、液状と錠剤の二種あり、液状物質は、通常、プラスチック瓶体により容置され、携帯に便利で、破裂を防止できるという長所があり、一部の液状の栄養補助食品は毎回使用する数量が少ないので、大きな瓶体に装入するとき、通常は、瓶体面に度数を刻み、食用者の飲用が適量になるよう工夫されているが、正確な数値にはできない。
【０００３】
よって、業者は、小包装の液体食用包装容器を開発し、図１で示されるように、包装容器１は、殻体１１、及び、膜蓋１２からなり、殻体１１は開口１１１を有する中空筒体で、殻体１１の開口１１１周縁一側は、外に突出した環片１１２を延設する。膜蓋１２はアルミ箔材質からなり、充填したい液体２を殻体１１の中空内部に装填した後、膜蓋１２により殻体１１開口１１１、及び、環片１１２二者の上端面を遮蔽して固定し、殻体１１が密封状態になる。また、突出した環片１１２外側端は折線１１３を有し、折線１１３を湾折後、膜蓋１２は殻体１１の開口１１１から剥離し、殻体１１内部の液体が口に入るようになっている。このような構造は、食用者に一回の定量を提供し、飲用の便利性を達成しているが、図２を参照すると、殻体１１は皆単一層の構造であり、殻体１１の周面は毛細孔を有し、内部液体２の漏れを防止しているが、一定時間使用後、毛細孔殻揮発して減少し、残留成分が凝固する可能性もある。また、太陽が照射する時、紫外線の照射により、殻体１１内部の液体２が酸化作用を起こし、一定時間後、液体２が変質し、保存期間の縮減を生じる。
【考案の開示】
【考案が解決しようとする課題】
【０００４】
本考案の目的は、液体包装容器を提供し、包装容器の殻体が一層以上の結合成型であり、効果的に殻体の気密性を高め、殻体内部の液体の揮発を防止することにある。
【０００５】
本考案は、液体包装容器を提供し、包装容器の殻体が一層以上の結合成型であり、効果的に紫外線の照射により殻体内部の液体が変質するのを防止し、殻体内部の液体の有効期限を延長することをもう一つの目的とする。
【課題を解決するための手段】
【０００６】
本考案の液体包装容器は、殻体が一層以上の結合成型で、効果的に殻体の気密性を高め、殻体内部の液体の揮発を防止すると共に、紫外線の照射により殻体内部の液体が変質するのを防止し、殻体内部の液体の有効期限を延長できる。
【考案の効果】
【０００７】
本考案により、効果的に殻体の気密性を高め、殻体内部の液体の揮発を防止すると共に、紫外線の照射により殻体内部の液体が変質するのを防止し、殻体内部の液体の有効期限を延長できる。  
【考案を実施するための最良の形態】
【０００８】
図３を参照すると、本考案の液体包装容器３は、基本構造と同様に、殻体３１、及び、膜蓋３２からなり、殻体３１は開口３１１を有する中空筒体で、実施上、瓶体、或いは、その他の形状の造型で、殻体３１の開口３１１一側辺は、外に突出した環片３１２を延設する。環片３１２は下向けに湾折した状態で、又、膜蓋３２はアルミ箔材質からなる薄膜体で、充填したい液体４を殻体３１の中空内部に装填した後、膜蓋３２により殻体３１開口３１１、及び、環片３１２二者の上端面を遮蔽して固定し、殻体３１が密封状態になる。また、環片３１２前端は下向けに湾折した設計で、膜蓋３２は、湾折端との対応箇所が分離状態であり、これにより、分離する部位が膜蓋３２を殻体３１からめくり上げて剥離状にし、殻体３１の開口３１１を露出させ、殻体内の液体が飲用できる。
【０００９】
本考案は、殻体３１が一層以上の構造体であり、図の外層３１aと内層３１ｂの二層を例とすると、実施上、二層以上であり、外層３１ａの材質は公知と相同のＰＵ材質で、内層３１ｂはＰＥＴ材質、或いは、その他の同等効果のある材質からなる。本考案は、殻体３１が二層以上の構造であり、効果的に気密性を向上させ、殻体３１内部の液体４が揮発するのを防止し、且つ、気密性がよい状態で、外界の気体が殻体３１内部に進入せず、殻体３１内部の空気も漏れず、液体４の品質の変化を防止し、品質の維持を確保する。また、紫外線も殻体３１内部に照射しないので、液体４は紫外線により酸化することなく、品質を維持でき、使用期限を延長することができる。
【図面の簡単な説明】
【００１０】
【図１】公知の液体包装容器の立体図である。
【図２】公知の液体包装容器の断面図である。
【図３】本考案の好ましい実施例の断面図である。
【符号の説明】
【００１１】
１    液体包装容器
１１  殻体
１１１  開口
１１２  環片
１１３  折線
１２  膜蓋
２  液体
３  液体包装容器
３１  殻体
３１ａ  外層
３１ｂ  内層
３１１  開口
３１２  環片
３２  膜蓋
４  液体
【図１】
0003135716.tif 000003
【図２】
0003135716.tif 000004
【図３】
0003135716.tif 000005
(57)【要約】      （修正有）【課題】トレイに被せたカバーフイルムを、トレイ周縁のフランジに巻きつくように熱収縮させる。【解決手段】トレイを容器とする包装体１０の上面を覆うカバーフイルム１５を、トレイのフランジの外輪郭よりも大きく切り抜いてフランジに溶着し、包装体１０を搬入コンベヤ２３に搭載して加熱トンネル内に運びいれてカバーフイルムを熱収縮する包装装置であって、加熱トンネル内で加熱するエンドレスベルト２９にカバーフイルム１５が接近する際、このカバーフイルム１５が変形しないように、エンドレスベルト２９の通過域に冷却機構３０を設置する。【選択図】図１
0003135718.tif 000002
【実用新案登録請求の範囲】
【請求項１】
トレイ上面に被せかつ前記トレイ開口縁のフランジに溶着したカバーフイルムを前記フランジの外輪郭よりも大きく切り抜いた包装体を、下部の搬入コンベヤと上部のベルトとで挟持して加熱トンネル内に運びいれ、熱収縮するカバーフイルムをトレイの周縁に巻きつける包装装置であって、
加熱トンネル外部における前記ベルトの配置域に、該ベルトに対する冷却機構を配置したことを特徴とする包装装置。
【請求項２】
ベルトは、該ベルトの包装体に被さる部分に１点で交差する縦横の切り目を形成し、トレイから盛り上がる被包装物に該ベルトを被せたとき、前記切り目を前記被包装物で押し割ってベルトをトレイ周縁に接触するようにした請求項１に記載の包装装置。
【考案の詳細な説明】
【技術分野】
【０００１】
本考案は、被包装物を収容するトレイに被せたカバーフイルムの周縁を、前記トレイ周囲のフランジに巻きつけ熱収縮させる包装装置に関する。
【背景技術】
【０００２】
下記の特許文献１には、被包装物を収容するトレイに対して上部から被せた熱可塑性の蓋材をベルトで押さえつけながら加熱トンネル内に運びいれ、前記加熱トンネル内の熱エネルギーでもって前記蓋材周縁を収縮させてトレイ周縁に巻きつける技術を開示する。つまりこの場合ベルトは、蓋材がトレイから浮上するのを防止してトレイ周縁に気密に巻きつくのを助成するのである。
【０００３】
しかし前記のような、周縁を予め折り曲げ成形した蓋材は、材料に厚みがあるため僅かな熱量では変形しないが、極薄のカバーフイルムでは、前記加熱トンネルの入り口から吹き出る熱風及び、前記の押さえベルトが貯える熱の影響を受けやすい。つまり極薄のカバーフイルムは熱容量が少ない分、加熱トンネルの入り口またはベルト近くに接近するだけで、それらの熱で変形して望ましい巻きつき結果を得られないという問題がある。
【０００４】
【特許文献１】実開昭５３−０５７０５７号公報
【考案の開示】
【０００５】
本考案は前記問題を解決するために、被包装物を収容したトレイ上面に被せかつ前記トレイの周縁から外方向に突き出るフランジに溶着したカバーフイルムを、前記フランジの外輪郭よりも大きく切り抜いて、包装体を形成し、該包装体を、下部の搬入コンベヤと上部のベルトとで挟持して加熱トンネル内に運びいれ、熱収縮するカバーフイルムをトレイの周縁に巻きつける包装装置であり、加熱トンネル外部における前記ベルトの配置域に、該ベルトの冷却機構を配置して構成する。
【０００６】
本願装置では、加熱トンネル内で蓄熱したベルトを、加熱トンネル外に配置した冷却機構で冷却して巡回させるから、包装体がベルトに接近するとき該ベルトが貯える熱の影響をうけない。結果としてトレイに被せたカバーフイルムは大きく変化を起こすことなくベルトでもって押さえつけられ、トレイを加熱トンネルに導くから、カバーフイルムは事前収縮なくフランジに巻きつくことになるのである。
【実施例１】
【０００７】
図５に示す包装体１０は、被包装物１１を収容したトレイ１２の上から透明なカバーフイルム１５を被せ、前記トレイの開口部周縁に所定幅で形成したフランジ１３の上面に、前記カバーフイルム１５を気密に溶着して形成したもので、前記のカバーフイルム１５は、フランジ１３の外輪郭よりも大きくカットしている。
【０００８】
図１にその一部を示す前記の加熱トンネル２０は、外部のベルトコンベヤ２１と、内部のローラコンベヤ２２とでもって搬入コンベヤ２３を形成し、当該搬入コンベヤ２３は各包装体１０を等間隔で加熱トンネル２０内に搬入する。また、前記の搬入コンベヤ２３の上域に、多数のプーリ２８に支持して配置するエンドレスベルト２９は、前記加熱トンネル２０の入り口１８及び（図示省略した）出口から加熱トンネル２０外に設置領域を広げ、加熱トンネル２０外においてエンドレスベルト２９に沿って冷却機構３０を配置する。
【０００９】
循環するエンドレスベルト２９は加熱トンネル２０内で、該加熱トンネル内に作用する熱を受けるが、加熱トンネル２０外に設置した冷却機構３０によって冷却され、加熱トンネルの入り口２８の手前で包装体１０に被さる。この場合、包装体１０上面のカバーフイルム１５に接近するエンドレスベルト２９の温度は低下しているので、前記カバーフイルムに変形が起こらない。
【００１０】
そして、図２は加熱トンネル内におけるトレイ１２と、それを覆うエンドレスベルト２９とを下方向から見た図面であって、この場合前記のエンドレスベルト２９は、カバーフイルム１５の上方向への変形に対する遮断板の機能を果たすことになるので、トレイ１２が加熱トンネルの奥に進むに連れ、カバーフイルム１５は、丸皿状のトレイ１２の周縁からはさらに外部に突き出るフランジ１３の端下方向に熱収縮して順次巻きつくことになるのである。
【実施例２】
【００１１】
図３は、両側縁をエンドレスなチエン３１に固定したエンドレスベルト２９の部分平面図であり、該エンドレスベルト２９は、等間隔で搬送される包装体１０に被さる部分に、縦横に交差する切れ目４０を形成する。これは図４のように、トレイ１２内に被包装物１１を盛り上げて収容した包装体のカバーフイルム１５を、熱収縮によるフランジ１３への巻き付けを行うための手段であり、搬入コンベヤ２３に搭載するトレイ１２が加熱トンネル２０内に突入した際、エンドレスベルト２９両側のチェン３１を、レール３３と滑車３４との係合で安定させ、該エンドレスベルト２９の縦横の切れ目４０に対する、盛り上がる被包装物１１による上方への押し割りを行い、エンドレスベルト２９のカバーフイルム１５の押し付けで、該カバーフイルム１５を加熱収縮するのである。この場合、カバーフイルム２９における押し割られた多数の三角片が重量としてトレイのフランジ１３に作用するので、エンドレスベルト２９をフランジ１３に密着できる。
【図面の簡単な説明】
【００１２】
【図１】加熱トンネルの側面図
【図２】包装体をした方向から眺めた作用図
【図３】エンドレスベルトの部分図
【図４】前図のIV−IV矢視線の拡大図
【図５】包装体の斜視図
【符号の説明】
【００１３】
１０‥‥包装体
１１‥‥被包装物
１２‥‥トレイ
１３‥‥フランジ
１５‥‥カバーフイルム
２０‥‥加熱トンネル
２９‥‥エンドレスベルト
３０‥‥冷却機構
４０‥‥縦横に交差する切れ目
【図１】
0003135718.tif 000003
【図２】
0003135718.tif 000004
【図３】
0003135718.tif 000005
【図４】
0003135718.tif 000006
【図５】
0003135718.tif 000007
(57)【要約】      （修正有）【課題】自然界に多く自生する孟宗竹を加工した色紙飾りに関する。【解決手段】孟宗竹本体を、略１５度の角度で切断し、切断面に平行に略３ｃｍ厚を確保した状態で、略５ｍｍ幅のスリット加工を切断面の下部の位置と平行の位置まで施し、スリット加工部の上部の位置と交差する切断面上部に略５ｃｍ円形孔を設ける。又、カンナで人が触ったときに怪我をしない程度に鋭利な箇所を削りとる。【選択図】図２
0003135720.tif 000002
【実用新案登録請求の範囲】
【請求項１】
長さ方向に略１５度の角度で切断した孟宗竹の切断面に平行に略３ｃｍ厚を確保した状態で、略５ｍｍ幅のスリット加工を前記切断面の下部の位置と平行の位置まで施し、前記スリット加工部の上部の位置と交差する前記切断面上部に略５ｃｍ円形孔を備えたことを特徴とする色紙飾り。
【請求項２】
一回り大きな孟宗竹を取り付け台とし、ねじで固定したことを特徴とする請求項１の色紙飾り。
【考案の詳細な説明】
【技術分野】
【０００１】
本考案は、自然界に多く自生する孟宗竹を加工した色紙飾りに関するものである。
【背景技術】
【０００２】
孟宗竹をはじめ竹材は、賭け製品として、かご、垣根等に古くから利用されてきた。しかし、日常品、装飾品に利用されてきたにもかかわらず、特に孟宗竹に関しては、大きさ、重さにより、取り扱い難いという欠点があり、孟宗竹そのものの利用は門松に限られていた。
【０００３】
自然界に数多く自生し、容易に入手可能な材料である孟宗竹を有効に活用することは、日本国内数多く見られる自然界の荒廃を防ぐ役目も果たすことができる。竹材の活用として囲い用枠体、囲い、衝立及び飾り取付台があるが、熟練者でなければ加工及び組み立てができない欠点があった。
【０００４】
一般の人でも、加工道具さえあれば簡単に加工し利用できる技術が求められていた。
【特許文献１】特開平６−８１５２４号公報
【考案の開示】
【考案が解決しようとする課題】
【０００５】
解決しようとする問題点は、大きさ、重さのかさばる孟宗竹を有効利用がされていなかった点である。
【課題を解決するための手段】
【０００６】
本考案は、孟宗竹を、ノコ、ドリル、カンナの工具により、切断加工、孔空け加工、仕上げ加工により、軽量化と前記孟宗竹の持つ自然素材を生かし、簡単な加工で作られたことを最も大きな特徴とする。
【考案の効果】
【０００７】
本考案の前記孟宗竹よりなる色紙飾りは、孟宗竹を長さ方向に略15度の角度で切断し、切断面に平行に略３ｃｍ幅を確保した状態で、スリット加工を前記切断面の下部の位置と平行の位置まで施し、スリット加工部の上部の位置と交差する前記切断面上部に略５ｃｍ円形孔を備えることにより、床の間、応接室、居間等に設置し使用できるという利点がある。
【考案を実施するための最良の形態】
【０００８】
装飾品として飾るという目的を、これまで使用されなかった孟宗竹により、孟宗竹のもつ自然素材を生かし、切断加工により軽量化を成し遂げることにより実現した。
【実施例１】
【０００９】
図１は、本考案色紙飾りの１実施例の正面図であり1〜５は、図２とも同じである。
【００１０】
図２は、前記色紙飾りの側面図である。
【００１１】
孟宗竹本体を、図２のように略15度の角度で切断し、切断面に平行に略３ｃｍ厚を確保した状態で、略5ｍｍ幅のスリット加工を前記切断面の下部の位置と平行の位置まで施し、前記スリット加工部の上部の位置と交差する前記切断面上部に略５ｃｍ円形孔を設ける。又、カンナで人が触ったときに怪我をしない程度に鋭利な箇所を削りとる。
【００１２】
スリット部に、自身モットーとすることば、標語等を書き込んだ色紙を挟み込む。外形の大きさ、長さ寸法の違った孟宗竹を用いることにより異なった寸法の色紙を飾ることもできる。
【００１３】
色紙飾りの下部に、色紙飾りの孟宗竹より大きい外形の孟宗竹を取り付け、ねじで固定することにより、倒れにくい色紙飾りとすることができる。
【産業上の利用可能性】
【００１４】
入手容易な孟宗竹を加工し、軽量化と前記孟宗竹の持つ自然素材を生かした色紙飾りは、床の間、応接室、居間等に場所を特定せずに使用できることからあらゆる用途にも適用できる。
【図面の簡単な説明】
【００１５】
【図１】色紙飾りの正面図完成写真である。
【図２】色紙飾りの側面図完成写真である。
【図３】色紙を取り付けた参考図写真である。
【符号の説明】
【００１６】
１    孟宗竹本体
２    切断面
３    円形孔
４    スリット加工部
５    取付台
６    固定ねじ
【図１】
0003135720.tif 000003
【図２】
0003135720.tif 000004
【図３】
0003135720.tif 000005
(57)【要約】      （修正有）【課題】二本の絶縁被覆付電線を互いに接続する場合、一つの接続子で様々な電線径に対応する事と、接続した後も電線と接続子の間の接触圧力が弱まらず接触を安定にすること、さらに工具を必要としないようにする。【解決手段】電線径が異なっても、溝幅の違う溝を複数一列に並べた接続子に電線を圧接により接続させることでどれかの溝は最適な状態で接続し、更に接続後も適度な圧力を与え続けるように押し込みレバーをたわませて固定出来るようにする。【選択図】図１
0003135144.tif 000002
【実用新案登録請求の範囲】
【請求項１】
二本の絶縁被覆付電線を被覆を剥かずに互いに電気的に接続する手段において、一本づつの電線に対応して、被覆に切り込み導線に接触するための溝を、電気導体である薄板に狭い幅から広い幅の２種類以上を電線に沿って直線状に適度な間隔を開けて電線に対して垂直に当る様に備え、対応する電線と該電線接続子を圧接することを特徴とする電線圧接クリップ。
【請求項２】
二本の絶縁被覆付電線を被覆を剥かずに互いに電気的に接続する接続子に電線を挿入して固定し圧力を与える手段において、電線に対して平行になるよう角棒状のレバーを備え、且つ該レバーは、片端側を支点とし支点の傍に電気接続子が配置される位置にして、電気接続子と電線を圧接した後も続いて圧力が加わる為に、該レバーの他の片端側がたわむ程度に固定する位置に固定部を備え、電線と電気接続子の接触を持続させる圧力を掛け続ける事を特徴とする電線圧接クリップ。
【考案の詳細な説明】
【技術分野】
【０００１】
本考案は、二本の絶縁被覆付電線を被覆を剥かずに互いに電気的に安定確実な接続を容易にする電線圧接クリップに関するものである。
【背景技術】
【０００２】
電線の接続は多種多様であるが、その中で、比較的短期間に接続変更を多種中量に行う分野があり、原始的には互いの電線の被覆を少し剥ぎ互いに撚り絶縁テープで覆うものであるが、一般的には、両電線の端に互いに適合するコネクタを付けて接続する方法が実用に共されている。
【０００３】
しかし、コネクタの取り付けは、大量ではない為に、手作業が主であり簡単な工具を利用するに留まり、電線の被覆を少し剥ぎ導線部を接続子に挿入して、工具により圧着し、コネクタハウジングに挿入するもので、かなりの手間と多少の技量を要するものであり、従って作業に多少ミスが有ったりして接続不良を起こしたりする事も度々有る。
【０００４】
また、圧接による接続方法では、電線の被覆を剥いてから、単純な接続子とレバーで挟むものは手間が掛かるものであり、電線を被覆したまま同一幅の溝が在る接続子に当てがいペンチ等で押さえ込み接続するものは導線径が狭い範囲しか使用出来ないなどや、一回限り使用する使い捨てなどの問題があった。
【０００５】
これらの改善策として、市販で安価であり接続が安定確実な圧接コネクタを使用する事も考えれる。しかしこの方法には圧接する工具が必要であるが、大掛かりな圧接用機械は有るが、簡単な工具は出来ていないために簡単な工具を作らなければ成らない。
また、簡単な工具が出来たとしても、圧接コネクタは、電線径が一種類ごとにしか対応する事が出来ないのが一般的であり、従って接続する電線径に合わせて数種類のコネクタを用意する必要が有る。
【考案の開示】
【考案が解決しようとする課題】
【０００６】
解決しようとする問題点は、二本の絶縁被覆付電線を互いに接続しようとする場合、一つの接続子で様々な電線径に対応しない事と、接続した後、電線と接続子の間の接触圧力が弱まり接触不良を起こす可能性がある点である。
【課題を解決するための手段】
【０００７】
本考案は、電線径が異なっても、溝幅の違う溝を複数一列に並べた接続子に電線を圧接により接続させることで、どれかの溝は最適な状態で接続し、更に接続後も適度な圧力を与え続けるように、押し込みレバーをたわませて固定出来るようにしたことを主要な特徴とする。
【考案の効果】
【０００８】
本考案の電線圧接クリップは、接続する電線径の範囲が広くても安定確実に接触を維持でき、しかも工具を必要としないために、多くの予備部品を用意する必要が無くなる上に、工具が不要で簡単な作業であるために多人数で一気に作業を出来るなどの利点がある。
【考案を実施するための最良の形態】
【０００９】
接続する電線径の範囲が広くても、安定確実に接触を維持させる目的を、一体型の接続子と、レバーのたわみを利用して必要最小限の部品点数で実現した。
【実施例１】
【００１０】
図１は、本考案品の１実施例の系統図であって、Ａは接続子の見取り図で、Ｂは接続子に電線を挿入圧接した状態の透視見取り図で、また、Ｃは接続子に電線を圧接し、レバーで押さえ込んでいる状態の側面図である。
【００１１】
本考案の主体は接続子とレバー及びその固定に関する構成物にあるので、その他の機構等の説明は省略する。
【００１２】
接続子１は、一例として１００ミクロン程度のリン青銅板を用い図Ａのように幅の広い溝２と狭い溝３を互いに対象に並べる。
【００１３】
広い溝２は使用する電線径の太い方に適合する溝であり、狭い溝３は使用する電線径の細い方に適合する溝である。
【００１４】
図Ｂの様に、接続子１の奥側には電線４の端を右側に配置し、接続子１の手前側には電線５の端を左側に配置する事で、太い線４は左側の広い溝２に適合して確実な接触をし右側の狭い溝３では導線の一部が切断される可能性が有るが接触はされている。一方、細い線５は左側の狭い溝３に適合して確実な接触をし右側の広い溝２では導線が接触しない可能性が有るが左側だけで充分な接触がされている。
【００１５】
太いまたは細い線が奥か前どちらに配置されても同様であり問題は無いが、電線の端が細い溝３側にならないと太い線の一部が切断された場合に強度的に良好ではなくなるので、電線を挿入する方向を定まるように工夫をすれば問題は避けれる。
【実施例２】
【００１６】
図Ｃのように、接続子１の上に電線４、または電線５を置き、レバー６を支点７で支えてレバーの右側を下に押し電線を、接続子１に挿入できる構造してある。レバー６の下側は電線に沿って溝が掘ってあれば電線が反れない様になる。またレバーは一本で両電線を同時に圧接しても良く、または２本にして電線を一本づつ圧接することも出来る。
【００１７】
図Ｃの点線で示した様に、電線を圧接する時に、レバーが、たわむ程度に押し込み、固定用突起８にレバー６の右側にある穴に入れて固定する構造にする事で、電線４，５と接続子１は互いに圧力が掛かり続けて、長期間でも安定確実な接触を保てる。
また、電線４，５のどちらかを外す時はレバー６を固定用突起８から外して持ち上げて、電線を取り除く事ができる。
【産業上の利用可能性】
【００１８】
工具が不要の為、一個からの利用が出来、あらゆる分野での活用がある。
【図面の簡単な説明】
【００１９】
【図１】電線圧接クリップの実施例を系統的に示した説明図である。
【符号の説明】
【００２０】
１    電気接続子
２    広い幅の溝
３    狭い幅の溝
４    太い電線
５    細い電線
６    レバー
７    支点
８    レバー固定突起と穴
【図１】
0003135144.tif 000003
(57)【要約】      （修正有）【課題】多段の棚に置いた多量の容器入り米を全体的に最適な水分含量を保持するように短時間で蒸し上げることを可能にする。【解決手段】ボイラーから蒸米庫内に直接導入した一次蒸気と、ボイラーからの一次蒸気の一部を湿潤タンクの水中に潜らせて出てきた湿度の高い二次蒸気とを蒸米庫に導入し、一次蒸気と二次蒸気とで蒸米庫内に入れた多段の棚に載せた多数の容器入り米を蒸し上げる。【選択図】図１
0003135101.tif 000002
【実用新案登録請求の範囲】
【請求項１】
ボイラーから蒸米庫内に直接導入した湿度９０〜９６％の一次蒸気と、前記ボイラーからの一次蒸気の一部を湿潤タンクの水中に潜らせて出てきた湿度１００％の二次蒸気とを前記蒸米庫に導入し、一次蒸気と二次蒸気とで蒸米庫内に入れた多段の棚に載せた多数の容器入り米を蒸し上げることを特徴とする蒸米装置。
【考案の詳細な説明】
【技術分野】
【０００１】
本考案は、米を入れた容器を多数載せた多段の移動棚を蒸米庫内に入れ、蒸米庫内に導入した蒸気で蒸らして炊飯するための蒸米装置に関するものである。
【背景技術】
【０００２】
従来、米を入れた容器を多数載せた多段の移動棚を蒸米庫内に入れ、高圧ボイラーから直接蒸米庫内に導入した一次蒸気で蒸らして炊飯するようにした蒸米装置が知られている。
【考案の開示】
【考案が解決しようとする課題】
【０００３】
解決しようとする問題点は、ボイラーから直接導入した一次蒸気では水分が少なく乾いた蒸気であるため、蒸し上がりに長時間を要すると共に、移動棚の上部に載せた容器の米が蒸し上がり時に乾燥した硬い米飯ができるという点である。
【課題を解決するための手段】
【０００４】
本考案は、含水量が最適な米飯を短時間に蒸し上げることを可能とするため、蒸米庫内に蒸気ボイラーからの比較的乾燥した蒸気と、それよりも湿潤度の高い湿った蒸気とを同時に導入して米を最適な水分含量を保持して庫内の多段多列の棚に載せた多数の容器に入った米を全体的に均一に、しかも短時間で蒸し上げることを最も主要な特徴とする。
【考案の効果】
【０００５】
本考案によれば、多段の棚に置いた多量の容器入り米を全体的に最適な水分含量を保持するように短時間で蒸し上げることができ、狭小な場所において多量の蒸気炊飯が可能となる。
【考案を実施するための最良の形態】
【０００６】
多量の米を最適な水分含量を保持して短時間で均一に蒸し上げるという目的を、ボイラーから蒸米庫内に直接導入した湿度の低い一次蒸気と、前記ボイラーからの一次蒸気の一部を湿潤タンクの水中に潜らせて出てきた湿度の高い二次蒸気とを前記蒸米庫に導入し、一次蒸気と二次蒸気とで蒸米庫内に入れた多段多列の棚に載せた多数の容器入り米を蒸し上げることで実現した。
【実施例１】
【０００７】
蒸米庫１は、その内部の底部近くにそれぞれ多数の蒸気噴射口を設けた一次蒸気噴射パイプ２および二次蒸気噴射パイプ３が設置されている。
【０００８】
一次蒸気噴射パイプ２には、高圧ボイラー４から配管５を介して直接圧送された湿度の低い一次蒸気（湿度９０〜９６％）が導入され、蒸米庫１内に噴射されるようになっている。
【０００９】
二次蒸気噴射パイプ３には、湿潤タンク６からの湿度の高い（湿度１００％）湿った二次蒸気が導入され、、蒸米庫１内に噴射されるようになっている。
【００１０】
湿潤タンク６は図３に示すように、断熱材製周壁から内部に向かって下向きに屈曲して設けた蒸気導入パイプ７が設けられ、その下向きの先端部に設けた蒸気吹き出し口８は湿潤タンク６の底部に溜められた水の中に没している。
【００１１】
高圧ボイラー４から分岐管９を通って圧送された乾いた蒸気は、蒸気導入パイプ７を通って蒸気吹き出し口８から噴出し、水中を通って上部に放出される間に水分を吸収して湿度が高められ、湿った蒸気となって湿潤タンク６の断熱材製天板に設けた蒸気出口１０から排出するようになっている。
【００１２】
蒸気出口１０から排出された湿った蒸気は、配管１１を通って二次蒸気噴射パイプ３に導入される。
【００１３】
湿潤タンク６に溜められる水は給水管１２から吸水され、一定水量以上となったときにオーバーフロー管１３から排出される。
【００１４】
以上の構成において蒸気炊飯を行う際には、洗米して水に所定時間浸漬した米を入れた容器１４を多列多段に（本実施例では２列２０段）多数載せたキャスター付き移動棚１５を蒸米庫１内に収容し、扉１’を閉めた後に一次蒸気及び二次蒸気の開閉バルブを開いて一次蒸気噴射パイプ２および二次蒸気噴射パイプ３から乾いた一次蒸気及び湿った二次蒸気を蒸米機内に噴出させ、これらの蒸気により米に水分を吸収させながら加熱炊飯する。
【００１５】
この考案の蒸米庫１に２０段の移動棚１５を入れ、これに３kgの米を入れた容器１４を２列に載せて炊飯を行った。
【００１６】
一次蒸気及び二次蒸気を蒸米庫１に１：０．８の供給割合で導入し、蒸気炊飯を行った。
【００１７】
また、これとは別に一次蒸気のみを導入して上記と同量の米を移動棚１５に載せて炊飯を行った。
【００１８】
これらの結果を図４に示す。図４において実施例１に基づいて一次蒸気と二次蒸気によって炊飯した時の品温の推移を白三角で表し、またそのときの庫内温度の推移を白四角で表し、さらに一次蒸気のみにより炊飯した時の品温の推移を黒三角で、またそのときの庫内温度の推移を黒四角で表した。
【００１９】
図４の結果から、一次蒸気のみによる炊飯工程では、開始から一次蒸らし１００℃に到達するまでに２５分、蒸し上がり迄に４０分程度かかったのに対して、一次蒸気及び二次蒸気による炊飯工程では一次蒸らし１００℃に到達するまでに１７分、蒸し上がり迄に３２分で済むことが分かる。
【００２０】
また、一次蒸気のみによる炊飯では炊き上がった状態で、上段の米ほど表面が乾いて水分が不足した硬いご飯になったが、一次蒸気及び二次蒸気による炊飯では下段から上段の米全てが適正な水分を保持した良好なご飯に仕上がった。
【００２１】
なお、蒸米庫１に導入する一次蒸気と二次蒸気の供給割合は必ずしも１：０．８に限定するものではなく、炊飯を行う米の品質、炊飯を行う米の量等に応じて配管５及び配管１１に設けた流量調整弁２０，２１によって適宜調整し、最適な炊きあがりを確保することができる。
【産業上の利用可能性】
【００２２】
狭小な場所で多量の蒸気炊飯が可能となる。
【図面の簡単な説明】
【００２３】
【図１】この考案の炊飯システムを示す系統図である。（実施例１）
【図２】この考案に係る蒸米庫の縦断正面図である。
【図３】この考案に係る湿潤タンクの縦断正面図である。
【図４】この考案の一次蒸気及び二次蒸気による炊飯と従来の一次蒸気のみによる炊飯を行ったときの庫内温度の推移を示す線図である。
【符号の説明】
【００２４】
１    蒸米庫
１’  扉
２    一次蒸気噴射パイプ
３    二次蒸気噴射パイプ
４    高圧ボイラー
５    配管
６    湿潤タンク
７    蒸気導入パイプ
８    蒸気吹き出し口
９    分岐
１０  蒸気出口
１１  配管
１２  給水管
１３  オーバーフロー管
１４  容器
１５  移動棚
【図１】
0003135101.tif 000003
【図２】
0003135101.tif 000004
【図３】
0003135101.tif 000005
【図４】
0003135101.tif 000006
(57)【要約】      （修正有）【課題】携帯型情報端末等をベルトなどに取り付けられる保護ケースを供給する事を目的とする。【解決手段】携帯電話、携帯型情報端末等を保護する為のケースと、該ケースをベルトなどに取り付けるホルダーの組み合わせからなる。該ケースには該端末に対する入力、視認、操作、通話などの為の開口部を設ける。該ホルダーには該ケースを挟着保持する爪部と該ケースの開口部に対する保護面を設ける。該ケースを該ホルダーに開口部と保護面が対向する位置で爪部により挟着し、該ホルダーに設けたクリップによりベルトなどに取り付ける。該ケースの開口部は該ホルダーの保護面で保護され、また使用時にはホルダーからケースを外して使用する。【選択図】図４
0003135110.tif 000002
【実用新案登録請求の範囲】
【請求項１】
携帯型情報端末等を覆う保護ケースと該ケースを系着保持する装着用ホルダーを分割した事を特徴とする携帯型情報端末等のケース。
【請求項２】
請求項１に於いて、該ケースに操作部開口を設け該ホルダーに操作部開口保護部を設けた事を特徴とする携帯型情報端末等のケース。
【請求項３】
請求項１に於いて、該ケースを該ホルダーに配設した爪部で挟着保持する事を特徴とする携帯型情報端末等のケース。
【請求項４】
請求項１に於いて、該ホルダーにクリップを配設した事を特徴とする携帯型情報端末等のケース。
【考案の詳細な説明】
【技術分野】
【０００１】  本考案は、携帯電話、携帯型情報端末等のケースに関するものである。
【背景技術】
【０００２】  従来の技術思想では、携帯電話、携帯型情報端末等をベルトなどに取り付けるにはクリップ付きのケースに該端末等を挿入する方法が取られていた。
【考案の開示】
【考案が解決しようとする課題】
【０００３】  本考案は、携帯電話、携帯型情報端末等を保護しながらベルトなどに取り付け、該端末を操作する場合には容易に取り外して操作出来る保護ケースを供給する事を目的とする。
【課題を解決するための手段】
【０００４】  本考案では携帯電話、携帯型情報端末等を保護する為のケースと、該ケースをベルトなどに取り付けるホルダーの組み合わせにより課題を解決する。該ケースには該端末に対する入力、視認、操作、通話などの為の開口部を設ける。該ホルダーには該ケースを挟着保持する爪部と該ケースの開口部に対する保護面を設ける。該ケースを該ホルダーに開口部と保護面が対向する位置で爪部により挟着し、該ホルダーに設けたクリップによりベルトなどに取り付ける。該ケースの開口部は該ホルダーの保護面で保護され、また使用時にはホルダーからケースを外して使用する。
【考案の効果】
【０００５】  上記のように本考案の携帯電話、携帯型情報端末等のケースを使用する事で、該端末等を傷、汚れから保護しながらベルトなどに取り付ける事が出来る。従来のクリップ付きケースはケースとクリップが一体になっている為、該端末を使用するにはクリップごとベルトから外すかケースから該端末を取り出す必要があった。またクリップ付きのケースでは該端末の操作面の背面にクリップを配置する必要が有るため、操作面が露出し傷付く恐れがあった。本考案のケースは該端末の外周部をケースで保護し、開口の有る操作面はホルダー装着時にはホルダーの保護面に向かって挟着保持されるため、常に該端末全体が保護される。また使用時にはクリップ等が無いため快適に使用する事が出来る。
【考案を実施するための最良の形態】
【０００６】  携帯電話、携帯型情報端末等の外周に沿った樹脂製のケースは分割形状とし、凹凸の嵌合で該端末を挟み込み保持する。また該端末の入力、視認、操作、通話などに必要な部分は開口とする。該ケースをベルトに拘持する為のホルダーは背面にクリップを配設し、該ケースを挟着する為に下部に受け部を設け上部に爪部を設ける。該ケースをホルダーに装着するには該ケースの開口を該ホルダーの保護面に向け、底部はホルダーの受け部に挿入し上部はホルダーの爪部に挟み込み保持する。該端末を使用する祭は、該ケースの上部をホルダーの爪部から解放し、底部をホルダーの受け部から抜き取る。使用者はホルダーをベルトに残してケースを取り出し該端末等を操作する事が出来る。
【実施例】
【０００７】  以下、添付図面に基づいて実施例を説明する。
図１はクリップが背面に装着された携帯電話、携帯型情報端末等の従来のケースの断面図である。該端末本体１を背面ケース２と前面ケース３で挟み込み、背面ケース２に設置したクリップ４でベルトに装着する。分割したケースは外部衝撃で外れて該端末本体１が落下する危険が有る為、嵌合部の強度が求められる。また開口部は外側に露出し保護されない。【０００８】  図２は本考案の携帯電話、携帯型情報端末等のケースとホルダーの断面図である。該端末本体１を背面ケース２と前面ケース３で挟み込み保持する。分割したケースは使用時は常に手で包み込まれる為、嵌合の強度は小さくて済む。従ってケース自体を薄く製作する事が可能になる。強度を持たせたホルダー５の背面にクリップ４を配設し、ベルトに確実に固定する。該ケースは開口部３ｄをホルダーの保護面５ｃで保護し挟み込み保持される為、該端末の入力、視認、操作、通話などに必要な部分は損傷からから保護される。【０００９】  図３は該端末本体１と背面ケース２と前面ケース３の位置関係の俯瞰図である。ケースは２ａ、３ａの凹凸で嵌合する。前面ケース３には該端末本体１の画面１ａ及びボタン１ｄに対する操作の為の開口部３ｄが設けられる。３ｂ、３ｃはスピーカー１ｂとマイク１ｃに対する開口部である。【００１０】  図４は該端末本体１とケース２及び３とホルダー５の俯瞰図である。図５はケースをホルダー５に装着した状態の俯瞰図である。底部はホルダーの受け部５ａに挿入し上部はホルダーの爪部５ｂで挟み込み保持する。開口部３ｄはホルダーの保護面５ｃで保護される。
【図面の簡単な説明】
【００１１】
【図１】従来のケースの断面図である。
【図２】本考案のケースの断面図である。
【図３】ケースと情報端末等の組み合わせの俯瞰図である。
【図４】ケースとホルダーの俯瞰図である。
【図５】ケースをホルダーに装着した状態の俯瞰図である。
【符号の説明】
【００１２】１携帯電話、携帯型情報端末等
２背面ケース
３前面ケース
４クリップ
５ホルダー
５ｃホルダーの保護面
【図１】
0003135110.tif 000003
【図２】
0003135110.tif 000004
【図３】
0003135110.tif 000005
【図４】
0003135110.tif 000006
【図５】
0003135110.tif 000007
(57)【要約】      （修正有）【課題】従来のペットボトルは一度形成されれば、いつまでも容積をとりかさばった。そこで、容積を小さくして、廃棄物の減容化ができるペットボトルの提供。【解決手段】ペットボトルの胴体部に、圧縮空気を送り込み空気圧でボトルを起立せしめ、使用後は封印シールを取り去る。【選択図】図１
0003135109.tif 000002
【実用新案登録請求の範囲】
【請求項１】
飲み口、上部肩口と及び底部は硬い材質の合成樹脂からなり、胴体部は柔軟性のある材質からなり、上部肩口に空気出し入れ口としての小穴を設け、胴体部は三重構造の円筒形であり、三重構造の際内側は最も柔軟性のある合成樹脂からなることを特徴とするペットボトル。
【考案の詳細な説明】
【技術分野】
【０００１】    本考案は、空気の注入及び排出によって、容積を変える事が出来るペットボトルに関するものである。
【背景技術】
【０００２】    のどを潤す、ペットボトルが使用後も容積が小さくならず、せっかく資源ゴミとして再利用をするにも、大きなゴミ袋に入れても、少し入れただけでペットボトルが入りづらくかさばっていた欠点があった。
【考案の開示】
【考案が解決しようとする課題】
【０００３】    従来のペットボトルは、一度形成されたら、使用前も使用後も容積は変わらず、大きな容積を取っていた、本考案はこの欠点を解決しようとするものである。
【課題を解決するための手段】
【０００４】    本考案は、飲み口、上部肩口と及び底部は硬い材質の合成樹脂からなり、胴体部は柔軟性のある材質からなり、上部肩口に空気出し入れ口としての小穴を設け、胴体部は三重構造の円筒形であり、三重構造の際内側は最も柔軟性のある合成樹脂からなることを特徴とするペットボトルである。
ジュース等を飲み終えた後廃棄する際、空になった容器を少しでも小さくする為に、考案されたものである。これを添付図面によって説明する。合成樹脂からなり、しかも三層からなるペットボトル本体の肩口２Ａに小穴３を開け、大気圧より若干高い気圧の空気を小穴から放出することにより、ペットボトル本体を自由に折りたたむことができる状態にする事により、ペットボトルの容積を小さくして、廃棄用の資源ゴミ袋に多く詰められるようにしたものである。以上の事により、従来のペットボトルの持つ問題点を解決した。
【考案の効果】
【０００５】    前述の様に小穴３から空気を放出するだけで、ペットボトルは軟らかいため、少し外圧を加えることにより平べったく小さくなり容積が小さくなった。これにより、廃棄物の減容化ができた。
【考案を実施する為の最良の形態】
【０００６】    ペットボトルの本体の肩の位置に小穴３をあけ、ペットボトルにジュース等を注入する直前に小穴３からペットボトル本体２Ａと内皮３Ａの間に、空気室１Ｂを設け若干加圧された空気を注入し、空気圧でペットボトルを起立せしめ、液体注入口７からジュース等を注入しフタ２でフタをしてペットボトルの肩口に開けた小穴３の封印シール５に当りハズレのある文字を書いた。二つ折りの封印シール５の内部にそれを書き、どの角度から見てもわからぬように不透明な色彩の封印シール５で、空気を入れたペットボトルの小穴３を瞬時に封印シール５で閉じ、消費者が飲み終えた後クジである封印シール５を開け確認する時に本考案の空気抜きである、小穴３から空気が抜け、瞬間的にペットボトルが自由に折りたためるようになる。尚、本考案のペットボトルは、液体注入口７とフタ２ともう一ヶ所ペットボトルの底部８は、従来どおりのものである。
【実施例】
【０００７】    本考案の実施は、若干加圧された室内において成されることが小穴３から自然に少し圧力の高い空気が入り、本考案の目的とする１気圧の平地で販売する時に好都合である。【０００８】本考案のペットボトルは、廃棄するゴミを減容化する効果を有する。又、ジュースを味わうと同時に子どもの頃に味わったクジを楽しむこともでき、二重の喜びがある。本考案は以上の構成からなるペットボトルである。
【図面の簡単な説明】
【０００９】
【図１】本考案の空気出入り口を示す斜視図である。
【図２】本考案の平面図である。
【符号の説明】
【００１０】    １Ａ  外皮
２Ａ  本体
３Ａ  内皮
１Ｂ  空気室
２    フタ
３    小穴
５    封印シール
６    文字
７    飲口
８    底部
【図１】
0003135109.tif 000003
【図２】
0003135109.tif 000004